(57)【要約】【課題】ゴルフクラブの収納時および運搬時には、ゴルフバッグ内でゴルフクラブ同士の傷付きが防止できて、且つゴルフプレー時には容易にゴルフクラブを取り出し易いゴルフバッグ。【解決手段】ゴルフバッグの口枠部に装着するフードの内側に、脱着も可能なヘッド保護カバーを固定して、ゴルフクラブの収納時と運搬時には、収納したゴルフクラブのヘッド部分を包み込むことにより、ゴルフクラブ同士がぶつかり合って傷付くのを防止すると共に、ゴルフプレー時にはフードを取り外すと共にヘッド保護カバーも取り外され、ゴルフクラブを取り出し易い。【選択図】図３
2004081637.tif 000002
【特許請求の範囲】
【請求項１】
ゴルフクラブを収納するための有底筒状の本体部の口枠部に装着された脱着自在なフード部を有するゴルフバッグにおいて、該フード部の内側面に配設したアイアンヘッド保護カバーを具備したことを特徴とするゴルフバッグ。
【請求項２】
脱着自在なフード部の内側面に配設したアイアンヘッド保護カバーの一端部を、該フード内側面の前面部と横面部の合せ目に固定させたことを特徴とする請求項１に記載のゴルフバッグ。
【請求項３】
少なくとも伸縮性または柔軟性ある素材よりなるアイアンヘッド保護カバーを具備したフード部を有することを特徴とする請求項１乃至２に記載のゴルフバッグ。
【請求項４】
フード内側面の前面部と横面部の合せ目の一方に固定した一枚のシート状のヘッド保護カバーと、他方に該ヘッド保護カバーを引っ掛けるフックとを具備したフード部を有することを特徴とする請求項１乃至３に記載のゴルフバッグ。
【発明の詳細な説明】
【０００１】
【発明の属する技術分野】
本発明は、ゴルフプレー時には容易に取外しが出来て、クラブ搬送時には傷が付きにくいアイアンヘッド保護カバー付きのゴルフバッグに関する。
【０００２】
【従来の技術】
従来、ゴルフバッグは複数のウッドヘッドクラブとアイアンヘッドクラブとパタークラブを収納し、プレー時には口枠部に装着したフードを取り外して、ゴルフクラブを取り出し易くするものが多い。通常はウッドヘッドクラブとアイアンヘッドクラブとパタークラブは、夫々の長さや重さや形状が異なると共に、ヘッド部分が所定の角度で曲がっているため、ゴルフバッグに収納し運搬する際には、ゴルフクラブ同士がぶつかり合い、また振動によるこすれ合い等によって傷付き易いという問題がある。そのため、ヘッド部分にヘッドカバーを装着することが一般的だが、アイアンヘッドクラブの場合にヘッドカバーを使用することが少ないのは、本数が多く取外しが面倒なためである。
【０００３】
特開２０００−７１３７０２３号公報には、ゴルフバッグのフードにあって、区画部を設け複数のゴルフクラブをグループに分けて収納することにより、ゴルフクラブの損傷を防止するゴルフバッグのフードが開示されている。然しながら、この方法では区分けによって、分けられたクラブ間の傷付きは防止できても、区分け内のクラブ同士のヘッドのぶつかり合いによる傷付きを防止することが出来ない。特にアイアンヘッドクラブの場合はヘッドカバーを装着することが少なく、傷付き易さが問題となる。
【０００４】
【発明が解決しようとする課題】
そこでこの発明は、ゴルフバッグ内でゴルフクラブ同士の傷付きが防止出来て、尚且つゴルフプレー時には容易にゴルフクラブを取出し易いゴルフバッグを提供しようとするものである。
【０００５】
【課題を解決するための手段】
上記の問題点を解決するために本発明は、
【０００６】
１）ゴルフクラブを収納するための有底筒状の本体部の口枠部に装着された脱着自在なフード部を有するゴルフバッグにおいて、該フード部の内側面に配設したアイアンヘッド保護カバーを具備したことを特徴とするゴルフバッグ、
【０００７】
２）脱着自在なフード部の内側面に配設したアイアンヘッド保護カバーの一端部を、該フード内側面の前面部と横面部の合せ目に固定させたことを特徴とする請求項１に記載のゴルフバッグ、
【０００８】
３）少なくとも伸縮性または柔軟性ある素材よりなるアイアンヘッド保護カバーを具備したフード部を有することを特徴とする請求項１乃至２に記載のゴルフバッグ、
【０００９】
４）フード内側面の前面部と横面部の合せ目の一方に固定した一枚のシート状のヘッド保護カバーと、他方に該ヘッド保護カバーを引っ掛けるフックとを具備したフード部を有することを特徴とする請求項１乃至２乃至３に記載のゴルフバッグである。
【００１０】
【実施例】
以下実施例により本発明を具体的に説明する。
図１はゴルフバッグの正面図、図２はゴルフバッグの側面図であって、符号１は有底筒状に形成された本体部を示す。符号２は本体部１の上端部に装着するフードであるが、本図では本体部１と離した状態で図示してある。
本体部１は、硬質の合成樹脂からなる底部３と口枠部４とその間をつなぐ筒状に形成したシートとから成り、正面には前面下部ポケット５及び前面中間部ポケット６、左右両脇に位置する側面ポケット７から成る収納部と、正面上部に位置する把手８とを備えてある。上記下部ポケット５には、通気性を確保する通気孔９が設けてある。
【００１１】
前面下部には本体下部補助把手１０が、また側面には側面補助把手１１が設けられてあり、ゴルフバッグを横に寝かせた状態で持ち運び易くしてある。フード２は本体部１の口枠部４に設けられた複数のスナップによって本体部に装着される。該フードの脱着は自在に行なえるが、通常のプレー時には取り外して使用し、ゴルフクラブ収納時やゴルフバッグを搬送する時は取り付けて使用する。
【００１２】
フード２は左右２面の横面部１３と、合せ目にファスナーを設けた前面部１４とからなり、該ファスナーの開閉によってフードの開口部よりゴルフクラブを取り出せる状態にしたり、収納時のクラブの保護を図ることが出来る。
【００１３】
フード２の内側面には、アイアンヘッドを包んで保護するためのヘッド保護カバー１５が、前面部１４と横面部１３との合せ目に係止してある。
係止の方法としては、前面部と横面部の合せ目を縫製により固定する際に同時に縫い合わせるのが好都合であるが、縫製によらず溶着や接着剤等により縫着することも可能である。
また、係止の方法として、前面部と横面部の合せ目に面ファスナーを縫製により固定しておき、ヘッド保護カバーの端部にも面ファスナーを固着させておき、両方の面ファスナーを用いて固定する方法がある。この方法によると、ヘッド保護カバーを不用とする場合は取り外してしまえるという利点がある。
【００１４】
図３は、アイアンヘッドクラブを収納した状態のフード部分の斜視図解図である。本図では、フードの内側面の前面部と横面部の合せ目に係止した左右二対のヘッド保護カバーが、アイアンヘッド２５を包み込んだ状態を示している。左右二対のヘッド保護カバーの端部は面ファスナーによって固着されるが、面ファスナー以外にもスナップやボタンなどによって固定することも可能である。
【００１５】
上記ヘッド保護カバーはたとえば合成樹脂素地の繊維を編み組みした生地で伸縮性があるか、または柔軟性がありアイアンヘッドを包み込み保護しヘッド同士のぶつかり合いや傷付きを防止するのに好都合である。
また、上記ヘッド保護カバーは袋状にして内部に緩衝材を挟み込んで衝撃吸収の機能を持たせることも可能である。緩衝材としてはたとえば軟質ウレタン樹脂等の発泡性の樹脂シートが適する。
【００１６】
図４は、本発明の別の実施例を示したフード部の斜視図解図である。本図では、フードの内側面の前面部と横面部の合せ目の一方に設けた一枚のヘッド保護カバーＢ１６が、合せ目の他方に設けたフック１７を通して折り返して絞り込むことにより、包み込んだアイアンヘッド２５を固定する構造になっている。　上記ヘッド保護カバーの端部は面ファスナーによって固着されるが、面ファスナー以外にもスナップやボタンなどによって固定することも可能である。
【００１７】
図５は、ゴルフバッグの本体部の背面図であって、口枠部４と底部５の中間には背袋１８が設けられてあり、該背袋の上部は背袋カバー１９によって覆われている。背袋カバー１９の上端部は口枠部４に固定されてあり、下端部はカバー繋具２０で本体部と連結することにより、背袋１８に収納した収納物の飛び出しが防止できる構造になっている。背袋から収納物を取り出す際は、カバー繋具を解除し背袋カバーを跳ね上げることにより、背袋の開口部から取り出すことが出来る。また、背袋カバー１９は袋状の二重構造になっており、小物類の収納に使用することが出来る。
【００１８】
図６は、上記背袋カバー１９を跳ね上げて背袋１８から収納物を取り出せる状態を表している。本実施例では、背袋にはシューズケースを収納するが、図６の跳ね上げた背袋カバー１９の下には、シューズケースを本体部に係止するためのシューズケース繋具２１が設けられてある。
【００１９】
図７は背袋の中央部に設けた開閉用のファスナー２２を下ろして背袋を広げた状態を示している。背袋を開くことにより内部に折り畳んだ状態になっていた網目状の背袋内袋２３が引き出されて、収納空間が広げられている。
【００２０】
図８は背袋にシューズケース２４を繋具２１に連結し収納した状態を示している。背袋の中央部に設けたファスナー２２を引き上げて、背袋カバーを下ろしてカバー繋具に連結すると、図５で示した状態になる。
【００２１】
図９は本実施例に示した背袋に収納したシューズケースの正面図であるが、背袋に収納するのはシューズケースに限らず、ゴルフプレーに必要な小物類を収納するポーチであったり、雨具や防寒具等のウエアー類も収納可能なバッグであってもよい。
【００２２】
【発明の効果】
以上、説明したように本発明のゴルフバッグによれば、ゴルフクラブ収納時にはフードの内側面に設けたヘッド保護カバーによってヘッド部分を包み込んで保護することにより、ヘッド同士のぶつかり合いによる傷付きを防止すること、及びヘッドが他のクラブのシャフトを傷つけるのを防止することが出来る。
また、上記保護カバーは一端部をフードの前面部と横面部の合せ目に縫製または溶着により係止してあるので、フードを製作する際に一体に加工することにより容易に成形が可能であるとともに、ゴルフプレー時にはフードを外すと共に該保護カバーもヘッドから取り払うことが出来て簡便である。
【図面の簡単な説明】
【図１】本発明の一実施例を示すゴルフバッグの正面図
【図２】図１に示すゴルフバッグの側面図
【図３】図１に示すゴルフバッグのフード部分の斜視図解図
【図４】本発明の別の実施例におけるゴルフバッグのフード部分の斜視図解図
【図５】図１に示すゴルフバッグの本体部の背面図
【図６】図５に示すゴルフバッグの本体部の背袋カバーを跳ね上げた状態の図解図
【図７】図５に示すゴルフバッグの本体部の背袋のファスナーを下ろした状態の図解図
【図８】図５に示すゴルフバッグの本体部の背袋にシューズケースを収納した状態の図解図
【図９】図８に示す背袋に収納した一実施例のシューズケースの正面図
【符号の説明】
１ゴルフバッグ本体部
２フード
３底部
４口枠部
５前面下部ポケット
６前面中部ポケット
７側面ポケット
８把手
９通気孔
１０本体下部補助把手
１１側面補助把手
１２スナップ
１３フード横面部
１４フード前面部
１５ヘッド保護カバー
１６ヘッド保護カバーＢ
１７フック
１８背袋
１９背袋カバー
２０カバー繋具
２１シューズケース繋具
２２ファスナー
２３背袋内袋
２４シューズケース
２５アイアンヘッド
【図１】
2004081637.tif 000003
【図２】
2004081637.tif 000004
【図３】
2004081637.tif 000005
【図４】
2004081637.tif 000006
【図５】
2004081637.tif 000007
【図６】
2004081637.tif 000008
【図７】
2004081637.tif 000009
【図８】
2004081637.tif 000010
【図９】
2004081637.tif 000011